(57)【要約】【課題】スピーカから音が出ない原因のヒントを多岐にわたって探ること等ができる信号処理装置を提供することを課題とする。【解決手段】ＡＶアンプは、当該ＡＶアンプが備えるマイコンによる制御の下、第４検出部における音声信号の検出結果に加え、さらに第１検出部における音声信号の検出結果、メモリで管理しているスピーカシステム設定その他に基づいて、スピーカＡからＦＲＯＮＴチャンネルの音が出ない原因のヒントを探り、探ったヒントを表示する。【選択図】        図２
2008244819.tif 000002
【特許請求の範囲】
【請求項１】
ソース機器から当該装置へ信号を入力するための入力端子と、当該装置から出力機器へ前記信号を出力するための出力端子と、前記入力端子と接続するための入力接続部および前記出力端子と接続するための出力接続部を有し、前記入力端子から前記出力端子へ前記信号を伝送する伝送手段と、前記伝送手段内における前記出力接続部の近傍で前記信号を検出する出力側検出手段と、を備えた信号処理装置において、
前記伝送手段内における前記入力接続部の前記近傍で前記信号を検出する入力側検出手段、前記伝送手段内における前記入力接続部の前記近傍と前記出力接続部の前記近傍との間で前記信号を検出する内部検出手段、当該信号処理装置の設定に関する装置設定情報を記憶する記憶手段のうち少なくとも一つと、
前記出力側検出手段での検出結果に加え、さらに前記入力側検出手段での前記検出結果、前記内部検出手段での前記検出結果、前記記憶手段で記憶した前記装置設定情報のうち少なくとも１つに基づいて、前記出力機器から音および／または映像が出ない原因のヒントを探る探索手段と、
をさらに備えたことを特徴とする信号処理装置。
【請求項２】
前記装置設定情報をユーザーに設定させる設定手段
をさらに備え、
前記探索手段は、前記出力側検出手段での前記検出結果に加え、さらに前記入力側検出手段での前記検出結果、前記内部検出手段での前記検出結果、前記設定手段で設定された前記装置設定情報のうち少なくとも１つに基づいて、前記出力機器から音および／または映像が出ない原因のヒントを探ること
を特徴とする請求項１に記載の信号処理装置。
【発明の詳細な説明】
【技術分野】
【０００１】
本発明は、例えばＡＶアンプなどの信号処理装置に関するものである。
【背景技術】
【０００２】
ＡＶアンプなどを製造・販売するメーカーにおいて、お客様センターに寄せられるＡＶアンプに関する意見の多くは、「音が出ない」というものである。
【０００３】
しかし、ユーザーは、音が出ないことの原因を探るために、様々な事項（例えばＡＶアンプとソース機器との接続状態やＡＶアンプとスピーカとの接続状態、ＡＶアンプの設定状態など）を確認しなければならない。
【０００４】
そのため、スピーカから音が出ないという状況に対してユーザーがどのように対応すればよいのか混乱してしまうことが考えられる。
【０００５】
そこで、音が出ない原因を探る技術が、特許文献１や特許文献２に開示されている。
ここで、特許文献１には、ラジオやオーディオパワーアンプなどのオーディオソース再生装置において、＋／−出力端子間のインピーダンス又は＋／−出力端子の電源、グランドへの天絡、地絡を検出する検出手段と、検出手段を制御する制御手段と、検出手段からの出力を判定する判定手段とを備えたスピーカ出力自己診断装置に関する技術が開示されている。これにより、音が出ない原因をオーディオソース再生装置自身で簡単に診断することができ、または接続されたスピーカのインピーダンスを定期的に測定するなどにより問題の発生を未然に予測することができ、したがって、対策、あるいは修理に要する時間を大幅に削減することができる。
また、特許文献２には、本体装置からの音声信号に所定の信号処理を施して、指定された極性でスピーカに供給するオーディオ装置において、本体装置からの音声信号に代えて基準音声信号を供給し、この基準音声信号に応じてスピーカから発生される音をマイクで集音して得られるスピーカ音声信号の極性の正誤を判定し、所定の操作に応じてスピーカに供給する音声信号の極性を任意に設定する、オーディオ装置のスピーカ極性判定方法に関する技術が開示されている。これにより、アンプとスピーカの接続の誤りを容易に検出するとともに、スピーカに供給する音声信号の極性を任意に設定できる。
【０００６】
【特許文献１】特開平１０−１５３６３４号公報
【特許文献２】特開平６−３１１５７８号公報
【発明の開示】
【発明が解決しようとする課題】
【０００７】
しかしながら、特許文献１や特許文献２で開示されている技術では、音が出ない原因のヒントがＡＶアンプとスピーカとの接続状態の不備であることを探ることはできるものの、それ以外のヒントについては探ることができないという問題があった。なお、この問題は、本発明が解決しようとする課題の一例である。
【０００８】
本発明は、上記問題に鑑みてなされたものであって、音が出ない原因のヒントを多岐にわたって探ること等ができる信号処理装置を提供することを目的とするものである。
【課題を解決するための手段】
【０００９】
上述した課題を解決し、目的を達成するために、本発明にかかる請求項１に記載の発明は、ソース機器から当該装置へ信号を入力するための入力端子と、当該装置から出力機器へ前記信号を出力するための出力端子と、前記入力端子と接続するための入力接続部および前記出力端子と接続するための出力接続部を有し、前記入力端子から前記出力端子へ前記信号を伝送する伝送手段と、前記伝送手段内における前記出力接続部の近傍で前記信号を検出する出力側検出手段と、を備えた信号処理装置において、前記伝送手段内における前記入力接続部の前記近傍で前記信号を検出する入力側検出手段、前記伝送手段内における前記入力接続部の前記近傍と前記出力接続部の前記近傍との間で前記信号を検出する内部検出手段、当該信号処理装置の設定に関する装置設定情報を記憶する記憶手段のうち少なくとも一つと、前記出力側検出手段での検出結果に加え、さらに前記入力側検出手段での前記検出結果、前記内部検出手段での前記検出結果、前記記憶手段で記憶した前記装置設定情報のうち少なくとも１つに基づいて、前記出力機器から音および／または映像が出ない原因のヒントを探る探索手段と、をさらに備えたことを特徴とする。
【発明を実施するための最良の形態】
【００１０】
以下に、本発明にかかる信号処理装置の実施形態を詳細に説明する。なお、本実施形態により本発明が限定されるものではない。
【００１１】
本実施形態の信号処理装置は、ソース機器から当該装置へ信号（具体的には音声信号や映像信号）を入力するための入力端子と、当該装置から出力機器へ信号を出力するための出力端子と、入力端子と接続するための入力接続部および出力端子と接続するための出力接続部を有し、入力端子から出力端子へ信号を伝送する伝送手段と、伝送手段内における出力接続部の近傍で信号を検出する出力側検出手段と、を備える。
【００１２】
本実施形態の信号処理装置は、伝送手段内における入力接続部の近傍で信号を検出する入力側検出手段、伝送手段内における入力接続部の近傍と出力接続部の近傍との間で信号を検出する内部検出手段、当該信号処理装置の設定に関する装置設定情報を記憶する記憶手段のうち少なくとも一つと、出力側検出手段での検出結果に加え、さらに入力側検出手段での検出結果、内部検出手段での検出結果、記憶手段で記憶した装置設定情報のうち少なくとも１つに基づいて、出力機器から音および／または映像が出ない原因のヒントを探る探索手段と、をさらに備える。
【００１３】
以上、本実施形態の信号処理装置によれば、出力側検出手段での検出結果に加え、さらに入力側検出手段での検出結果、内部検出手段での検出結果、記憶手段で記憶した装置設定情報のうち少なくとも１つに基づいて、出力機器から音および／または映像が出ない原因のヒントを探るので、音が出ない原因のヒントを多岐にわたって探ること等ができるという効果を奏する。換言すると、音が出ない原因として考えられる多数の候補の中から１つずつ原因を特定すること等ができるという効果を奏する。また、映像が出ない原因のヒントも多岐にわたって探ること等ができるという効果を奏する。
【００１４】
なお、本実施形態の信号処理装置は装置設定情報をユーザーに設定させる設定手段をさらに備え、探索手段は、出力側検出手段での検出結果に加え、さらに入力側検出手段での検出結果、内部検出手段での検出結果、設定手段で設定された装置設定情報のうち少なくとも１つに基づいて、出力機器から音および／または映像が出ない原因のヒントを探ってもよい。これにより、最新の装置設定情報で、音が出ない原因のヒントを多岐にわたって探ること等ができるという効果を奏する。また、最新の装置設定情報で、映像が出ない原因のヒントも多岐にわたって探ること等ができるという効果を奏する。
【実施例１】
【００１５】
ここでは、本実施形態にかかる信号処理装置の第１実施例であるＡＶ（Ａｕｄｉｏ  Ｖｉｓｕａｌ）アンプ１００Ａについて、図１から図１２を参照して詳細に説明する。
【００１６】
〔１．ＡＶアンプ１００Ａの構成〕
まず、ＡＶアンプ１００Ａの構成について、図１を参照して詳細に説明する。図１は、ＡＶアンプ１００Ａの構成の一例を示すブロック図である。
【００１７】
ＡＶアンプ１００Ａは、上述した実施形態における入力端子を含む入力端子群１０２を備える。入力端子群１０２は、入力端子群１０２Ａと入力端子群１０２Ｄとからなる。
【００１８】
入力端子群１０２Ａは、例えばＤＶＤやＬＤやＣＤやＳＡＣＤなどのソース機器からのアナログ音声信号をＡＶアンプ１００Ａへ入力するための端子群である。入力端子群１０２Ａは、例えばＤＶＤ／ＬＤやＣＤやＳＡＣＤなどのファンクションと関連付けられた２チャンネル（２ｃｈ）対応の３つの入力端子群１０２Ａ１と、マルチチャンネル対応の入力端子群１０２Ａ２とからなる。
【００１９】
入力端子群１０２Ａ１は、ソース機器からの２チャンネルのアナログ音声信号をＡＶアンプ１００Ａへ入力するための端子群である。入力端子群１０２Ａ１は、入力端子１０２Ａ１Lと入力端子１０２Ａ１Rとからなる。
【００２０】
入力端子１０２Ａ１Lは、Ｌ（Ｌｅｆｔ）チャンネルのアナログ音声信号を入力するための端子である。入力端子１０２Ａ１Rは、Ｒ（Ｒｉｇｈｔ）チャンネルのアナログ音声信号を入力するための端子である。
【００２１】
入力端子群１０２Ａ２は、ソース機器からのマルチチャンネルのアナログ音声信号をＡＶアンプ１００Ａへ入力するための端子群である。入力端子群１０２Ａ２は、入力端子１０２Ａ２FLと入力端子１０２Ａ２FRと入力端子１０２Ａ２Cと入力端子１０２Ａ２SLと入力端子１０２Ａ２SRとからなる。
【００２２】
入力端子１０２Ａ２FLは、ＦＬ（Ｆｒｏｎｔ  Ｌｅｆｔ）チャンネルのアナログ音声信号を入力するための端子である。入力端子１０２Ａ２FRは、ＦＲ（Ｆｒｏｎｔ  Ｒｉｇｈｔ）チャンネルのアナログ音声信号を入力するための端子である。入力端子１０２Ａ２Cは、Ｃ（Ｃｅｎｔｅｒ）チャンネルのアナログ音声信号を入力するための端子である。入力端子１０２Ａ２SLは、ＳＬ（Ｓｕｒｒｏｕｎｄ  Ｌｅｆｔ）チャンネルのアナログ音声信号を入力するための端子である。入力端子１０２Ａ２SRは、ＳＲ（Ｓｕｒｒｏｕｎｄ  Ｒｉｇｈｔ）チャンネルのアナログ音声信号を入力するための端子である。
【００２３】
入力端子群１０２Ｄは、ソース機器からのデジタル音声信号をＡＶアンプ１００Ａへ入力するための３つの端子（入力端子１０２Ｄ１、入力端子１０２Ｄ２、入力端子１０２Ｄ３）からなる。
【００２４】
ＡＶアンプ１００は、上述した実施形態における出力端子を含む出力端子群１０４を備える。出力端子群１０４は、出力端子群１０４Ａと出力端子群１０４Ｂと出力端子１０４Ｈとからなる。
【００２５】
出力端子群１０４Ａは、ＡＶアンプ１００Ａからのアナログ音声信号を例えばスピーカのような出力機器へ出力するための端子群である。出力端子群１０４Ａは、出力端子１０４ＡFLと出力端子１０４ＡFRと出力端子１０４ＡCと出力端子１０４ＡSLと出力端子１０４ＡSRとからなる。
【００２６】
出力端子１０４ＡFLは、ＦＬチャンネルのアナログ音声信号を出力するための端子である。出力端子１０４ＡFRは、ＦＲチャンネルのアナログ音声信号を出力するための端子である。出力端子１０４ＡCは、Ｃチャンネルのアナログ音声信号を出力するための端子である。出力端子１０４ＡSLは、ＳＬチャンネルのアナログ音声信号を出力するための端子である。出力端子１０４ＡSRは、ＳＲチャンネルのアナログ音声信号を出力するための端子である。
【００２７】
出力端子群１０４Ｂは、ＡＶアンプ１００Ａからのアナログ音声信号を例えばスピーカのような出力機器へ出力するための端子群である。出力端子群１０４Ｂは、出力端子１０４ＢFLと出力端子１０４ＢFRと出力端子１０４ＢCと出力端子１０４ＢSLと出力端子１０４ＢSRとからなる。
【００２８】
出力端子１０４ＢFLは、ＦＬチャンネルのアナログ音声信号を出力するための端子である。出力端子１０４ＢFRは、ＦＲチャンネルのアナログ音声信号を出力するための端子である。出力端子１０４ＢCは、Ｃチャンネルのアナログ音声信号を出力するための端子である。出力端子１０４ＢSLは、ＳＬチャンネルのアナログ音声信号を出力するための端子である。出力端子１０４ＢSRは、ＳＲチャンネルのアナログ音声信号を出力するための端子である。
【００２９】
出力端子１０４Ｈは、ＡＶアンプ１００Ａからのアナログ音声信号をヘッドフォン（ＨＰ：Ｈｅａｄ  Ｐｈｏｎｅ）へ出力するための端子である。
【００３０】
ＡＶアンプ１００Ａは、上述した実施形態における伝送手段として、セレクタ１０６Ａとセレクタ１０６ＤとＡ／Ｄ変換器１０８とＤＩＲ１１０とＤＳＰ（Ｄｉｇｉｔａｌ  Ｓｉｇｎａｌ  Ｐｒｏｃｅｓｓｏｒ）１１２とＤ／Ａ変換器１１４とＶＯＬ１１６と複数のＡＭＰ１１８とリレー１２０Ａとリレー１２０ＢとＨＰ回路１２２とを備える。
【００３１】
セレクタ１０６Ａは、入力端子群１０２Ａを構成する各入力端子と接続されており、後述するマイコン１２４による制御の下、これら入力端子との接続を切り替える。セレクタ１０６Ａは、後述するＡ／Ｄ変換器１０８や後述するマイコン１２４と接続されている。
【００３２】
セレクタ１０６Ｄは、入力端子群１０２Ｄを構成する各入力端子と接続されており、後述するマイコン１２４による制御の下、これら入力端子との接続を切り替える。セレクタ１０６Ｄは、後述するＤＩＲ（Ｄｉｇｉｔａｌ  Ｉｎｔｅｒｆａｃｅ  Ｒｅｃｅｉｖｅｒ）１１０や後述するマイコン１２４と接続されている。
【００３３】
Ａ／Ｄ変換器１０８は、セレクタ１０６Ａから伝送されたアナログ音声信号をデジタル音声信号に変換する。Ａ／Ｄ変換器１０８はＤＳＰ１１２と接続されている。ＤＩＲ１１０は、セレクタ１０６Ｄから伝送されたデジタル音声信号を受信する。
【００３４】
ＤＩＲ１１０は、信号が入力されると当該ＤＩＲのロック（受信不可）／アンロック（受信可）が切り替わり、後述するマイコン１２４へロック／アンロックの結果を伝送する。ＤＩＲ１１０は、ＤＳＰ１１２や後述するマイコン１２４と接続されている。
【００３５】
ＤＳＰ１１２は、Ａ／Ｄ変換器１０８で変換したデジタル音声信号を処理したり、ＤＩＲ１１０で受信したデジタル音声信号を処理したりする。ＤＳＰ１１２はＤ／Ａ変換器１１４と接続されている。
【００３６】
Ｄ／Ａ変換器１１４は、ＤＳＰ１１２で処理した各チャンネルのデジタル音声信号をそれぞれアナログ音声信号に変換する。Ｄ／Ａ変換器１１４はＶＯＬ１１６と図示の如く接続されている。
【００３７】
ＶＯＬ１１６は、後述するマイコン１２４による制御の下、Ｄ／Ａ変換器１１４で変換した各チャンネルのアナログ音声信号の出力レベル（電子ボリューム値）をそれぞれ調整する。ＶＯＬ１１６は、複数のＡＭＰ１１８や後述するマイコン１２４と図示の如く接続されている。
【００３８】
各ＡＭＰ１１８は、所定のチャンネルと関連付けられており、Ｄ／Ａ変換器１１４で変換した所定のチャンネルのアナログ音声信号を増幅する。各ＡＭＰ１１８は、リレー１２０Ａやリレー１２０Ｂと図示の如く接続されている。
【００３９】
リレー１２０Ａは、後述するマイコン１２４による制御の下、各ＡＭＰ１１８から出力端子群１０４Ａを構成する各出力端子への伝送路をそれぞれ接続したり切断したりする。リレー１２０Ａは、出力端子群１０４Ａを構成する各出力端子と接続されている。
【００４０】
リレー１２０Ｂは、後述するマイコン１２４による制御の下、各ＡＭＰ１１８から出力端子群１０４Ｂを構成する各出力端子への伝送路をそれぞれ接続したり切断したりする。リレー１２０Ｂは、出力端子群１０４Ｂを構成する各出力端子と接続されている。
【００４１】
ＨＰ回路１２２は、ＶＯＬ１１６から各ＡＭＰ１１８への伝送路のうちＦＬチャンネルのアナログ音声信号の伝送路およびＦＲチャンネルのアナログ音声信号の伝送路と、図示の如く配線を介して接続されている。ＨＰ回路１２２は、ＦＬチャンネルのアナログ音声信号およびＦＲチャンネルのアナログ音声信号を、ＨＰ回路１２２と接続された出力端子１０４Ｈへ伝送する。
【００４２】
ＡＶアンプ１００Ａは、上述した実施形態における探索手段や設定手段を含むマイコン１２４と表示部１２６と操作キー１２８とを備える。
【００４３】
マイコン１２４は、ＡＶアンプ１００Ａの各部を統括的に制御するＣＰＵ（Ｃｅｎｔｒａｌ  Ｐｒｏｃｅｓｓｉｎｇ  Ｕｎｉｔ）や、上述した実施形態における記憶手段としてのメモリなどを備える。メモリは、各種情報を記憶するＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などからなる。マイコン１２４は、表示部１２６や操作キー１２８と接続されている。
【００４４】
マイコン１２４は、上述した実施形態における入力側検出手段として第１検出部１２４ａおよび第２検出部１２４ｂを備え、また上述した実施形態における内部検出手段として第３検出部１２４ｃを備え、さらに上述した実施形態における出力側検出手段として第４検出部１２４ｄおよび第５検出部１２４ｅを備える。
【００４５】
第１検出部１２４ａは、セレクタ１０６ＡからＡ／Ｄ変換器１０８への伝送路と、当該伝送路に繋がれている配線１およびマイコン１２４のＡ／Ｄポート（図示せず）を介して接続されている。第１検出部１２４ａは、セレクタ１０６Ａから出力されたアナログ音声信号（入力端子群１０２Ａに接続されたソース機器からの入力直後のアナログ音声信号）を検出する。
【００４６】
第２検出部１２４ｂは、セレクタ１０６ＤからＤＩＲ１１０への伝送路と、当該伝送路に繋がれている配線２およびマイコン１２４の汎用ポート（図示せず）を介して接続されている。第２検出部１２４ｂは、セレクタ１０６Ｄから出力されたデジタル音声信号（入力端子群１０２Ｄに接続されたソース機器からの入力直後のデジタル音声信号）を検出する。
【００４７】
第３検出部１２４ｃは、Ｄ／Ａ変換器１１４からＶＯＬ１１６への伝送路と、当該伝送路に繋がれている配線３およびマイコン１２４のＡ／Ｄポート（図示せず）を介して接続されている。第３検出部１２４ｃは、Ｄ／Ａ変換器１１４から出力されたアナログ音声信号を検出する。
【００４８】
第４検出部１２４ｄは、リレー１２０Ａから出力端子群１０４Ａへの伝送路と、当該伝送路に繋がれている配線４およびマイコン１２４のＡ／Ｄポート（図示せず）を介して接続されている。第４検出部１２４ｄは、リレー１２０Ａから出力されたアナログ音声信号（出力端子群１０４Ａに接続されたスピーカＡへの出力直前のアナログ音声信号）を検出する。
【００４９】
第５検出部１２４ｅは、リレー１２０Ｂから出力端子群１０４Ｂへの伝送路と、当該伝送路に繋がれている配線５およびマイコン１２４のＡ／Ｄポート（図示せず）を介して接続されている。第５検出部１２４ｅは、リレー１２０Ｂから出力されたアナログ音声信号（出力端子群１０４Ｂに接続されたスピーカＢへの出力直前のアナログ音声信号）を検出する。
【００５０】
マイコン１２４は、セレクタ１０６Ａを制御してセレクタ１０６Ａのスイッチを切り替えたり、セレクタ１０６Ｄを制御してセレクタ１０６Ｄのスイッチを切り替えたりする。マイコン１２４は、ＤＩＲ１１０からロック／アンロックの結果を受け取って、デジタル入力のあり／なしを判断する。マイコン１２４は、ＶＯＬ１１６を制御してＶＯＬ１１６の出力レベル（電子ボリューム値）を調整する。マイコン１２４は、リレー１２０Ａを制御してリレー１２０ＡのＯＮ（接続）／ＯＦＦ（切断）を切り替えたり、リレー１２０Ｂを制御してリレー１２０ＢのＯＮ（接続）／ＯＦＦ（切断）を切り替えたりする。
【００５１】
マイコン１２４は、メモリに、上述した実施形態における装置設定情報に含まれるものとして、スピーカシステム設定などを記憶している。スピーカシステム設定は、例えば「ＦＵＮＣＴＩＯＮ」や「ＩＮＰＵＴ」や「ＳＰＥＡＫＥＲ」などの項目とその項目の設定内容とを相互に関連付けた情報であり、例えば「ＦＵＮＣＴＩＯＮ：ＤＶＤ／ＬＤ、ＩＮＰＵＴ：ＡＮＡＬＯＧ、ＳＰＥＡＫＥＲ：Ａ」などで表されるものである。
【００５２】
表示部１２６は、マイコン１２４から伝送された各種画面を表示する。操作キー１２８は、画面内の事項についてユーザーに選択や確定の作業などを行わせるためのものである。操作キー１２８は、画面内で選択可能に表示されている事項についてユーザーに所望のものを選択させるための上下左右の矢印キーや、画面内に表示されている事項をユーザーに確定させるためのＥＮＴＥＲキーや、ＡＶアンプ１００Ａの操作の仕方やスピーカシステム設定の登録（設定）の仕方やスピーカシステム設定における問題解決のヒントなどをユーザーが調べるためのＨＥＬＰキーなどからなる。
【００５３】
〔２．ＡＶアンプ１００Ａの動作〕
つぎに、ＡＶアンプ１００Ａの動作について、図２および図３などを参照して詳細に説明する。なお、ここでは一例として、出力端子群１０４Ａに接続されたスピーカＡからＦＲＯＮＴチャンネルの音が出ない原因のヒントを探る場合におけるＡＶアンプ１００Ａの動作について説明する。
【００５４】
ユーザーが操作キー１２８のＨＥＬＰキーを押すと、ＡＶアンプ１００Ａは、マイコン１２４を中心として、図２および図３に示す動作を実行する。なお、マイコン１２４のメモリには、ＡＶアンプ１００Ａのスピーカシステムの設定に関する情報（以下、スピーカシステム設定と記す場合がある。）として、ユーザーが予め設定した「ＦＵＮＣＴＩＯＮ：ＤＶＤ／ＬＤ、ＩＮＰＵＴ：ＡＮＡＬＯＧ、ＳＰＥＡＫＥＲ：Ａ」が記憶されている。
【００５５】
まず、マイコン１２４は、メモリで管理しているスピーカシステム設定における「ＳＰＥＡＫＥＲ」の項目の設定が「ＯＦＦ」であるか否かを確認する（ステップＳＡ−１）。
【００５６】
つぎに、マイコン１２４は、ステップＳＡ−１での確認結果が「ＯＦＦ」というものであった場合（ステップＳＡ−２：Ｙｅｓ）、音が出ない原因のヒントに関する図４に示す案内画面ＭＡを表示部１２６に表示する（ステップＳＡ−３）。ここで、図４に示す案内画面ＭＡについて説明する。案内画面ＭＡは、音が出ない原因のヒントに関するユーザーへの案内を表示する領域ＭＡ−１で構成される。領域ＭＡ−１には、例えば図４に示す「スピーカシステムがＯＦＦになっています。スピーカＡに設定して下さい。」というような音が出ない原因のヒントに関する案内が表示される。
【００５７】
図２に戻り、マイコン１２４は、ステップＳＡ−１での確認結果が「ＯＦＦ」というものでなかった場合（ステップＳＡ−２：Ｎｏ）、メモリで管理しているミュート（ＭＵＴＥ）の設定が「ＭＵＴＩＮＧ中」であるか否かを確認する（ステップＳＡ−４）。
【００５８】
つぎに、マイコン１２４は、ステップＳＡ−４での確認結果が「ＭＵＴＩＮＧ中」というものであった場合（ステップＳＡ−５：Ｙｅｓ）、音が出ない原因のヒントに関する図５に示す案内画面ＭＢを表示部１２６に表示する（ステップＳＡ−６）。ここで、図５に示す案内画面ＭＢについて説明する。案内画面ＭＢは、音が出ない原因のヒントに関するユーザーへの案内を表示する領域ＭＢ−１で構成される。領域ＭＢ−１には、例えば図５に示す「ＭＵＴＥを解除して下さい。」というような音が出ない原因のヒントに関する案内が表示される。
【００５９】
図２に戻り、マイコン１２４は、ステップＳＡ−４での確認結果が「ＭＵＴＩＮＧ中」というものでなかった場合（ステップＳＡ−５：Ｎｏ）、図６に示す設定画面ＭＣを表示部１２６に表示する（ステップＳＡ−７）。ここで、図６に示す設定画面ＭＣについて説明する。設定画面ＭＣは、ステップＳＡ−４の実行時点におけるスピーカシステム設定の設定内容を矢印キーで変更可能に表示する領域ＭＣ−１と、領域ＭＣ−１に表示されているスピーカシステム設定の設定内容を確定するための領域ＭＣ−２と、領域ＭＣ−１に表示されているスピーカシステム設定の設定内容に基づいて音が出ない原因のヒントを探るようマイコン１２４へ通知するための領域ＭＣ−３とで構成される。領域ＭＣ−１には、例えば図６に示す「Ｓｅｌｅｃｔｅｄ  ＦＵＮＣＴＩＯＮ：ＤＶＤ／ＬＤ  ＩＮＰＵＴ：ＡＮＡＬＯＧ  ＳＰＥＡＫＥＲ：Ａ」というような内容が矢印キーで変更可能に表示される。領域ＭＣ−２には、例えば図６に示す「ＳＥＴ」という文字がＥＮＴＥＲキーで押下可能に表示される。領域ＭＣ−３には、例えば図６に示す「ＣＨＥＣＫ  ＳＴＡＲＴ」という文字がＥＮＴＥＲキーで押下可能に表示される。
【００６０】
ユーザーは、表示部１２６に設定画面ＭＣが表示されたことを確認すると、操作キー１２８を使用して以下の手順〔１１〕および〔１２〕を実行して、スピーカシステム設定の確認や、必要に応じてその変更を行う。
〔１１〕ユーザーは、領域ＭＣ−１に表示されているスピーカシステム設定の設定内容を確認する。なお、領域ＭＣ−１に表示されているスピーカシステム設定の設定内容を変更する場合には、ユーザーは、操作キー１２８の矢印キーを上下に操作して、変更する項目の表示位置へ移動し、操作キー１２８の矢印キーを左右に操作して、変更する項目の設定内容を所望のものに変更する。変更するスピーカシステム設定の項目が複数ある場合には、ユーザーはこの操作を繰り返し行う。
〔１２〕ユーザーは、領域ＭＣ−１に表示されているスピーカシステム設定の設定内容の確認やその変更が完了したら、操作キー１２８の矢印キーを上下に操作して、「ＳＥＴ」の表示位置へ移動し、操作キー１２８のＥＮＴＥＲキーを押す。これにより、ユーザーは、領域ＭＣ−１に表示されているスピーカシステム設定の設定内容で確定したことをマイコン１２４へ通知する。
【００６１】
図２に戻り、マイコン１２４は、操作キー１２８のＥＮＴＥＲキー（設定画面ＭＣにおける領域ＭＣ−２「ＳＥＴ」）が押されると（ステップＳＡ−８：Ｙｅｓ）、スピーカシステム設定における「ＦＵＮＣＴＩＯＮ」の項目の設定内容および「ＩＮＰＵＴ」の項目の設定内容（音声入力の設定内容）に基づいて、セレクタ１０６Ａまたはセレクタ１０６Ｄを操作する（ステップＳＡ−９）。具体的には、スピーカシステム設定が例えば図６に示すものである場合、マイコン１２４は、スピーカシステム設定における「ＦＵＮＣＴＩＯＮ」の項目の設定内容「ＤＶＤ／ＬＤ」および「ＩＮＰＵＴ」の項目の設定内容「ＡＮＡＬＯＧ」に基づいて、アナログ信号に対応するセレクタ１０６Ａを、「ＤＶＤ／ＬＤ」ファンクションと関連付けられている入力端子群１０２Ａ１に合わせる。
【００６２】
そして、ユーザーは、スピーカからの出力を確認し、音が出力されていなければ、図６に示す設定画面ＭＣにおいて、操作キー１２８の矢印キーを上下に操作して、「ＣＨＥＣＫ  ＳＴＡＲＴ」の表示位置へ移動し、操作キー１２８のＥＮＴＥＲキーを押す。これにより、ユーザーは、領域ＭＣ−１に表示されているスピーカシステム設定の設定内容に基づいて、音が出ない原因のヒントを探るようマイコン１２４へ通知する。なお、音が出力されていれば、特に何もしなくてもよい。
【００６３】
図２に戻り、マイコン１２４は、操作キー１２８のＥＮＴＥＲキー（設定画面ＭＣにおける領域ＭＣ−３「ＣＨＥＣＫ  ＳＴＡＲＴ」）が押されると（ステップＳＡ−１０：Ｙｅｓ）、図７に示す確認画面ＭＤを表示部１２６に表示する（ステップＳＡ−１１）。なお、マイコン１２４は、操作キー１２８のＥＮＴＥＲキー（設定画面ＭＣにおける領域ＭＣ−３「ＣＨＥＣＫ  ＳＴＡＲＴ」）が押されない場合（ステップＳＡ−１０：Ｎｏ）、所定時間が経過するまで（ステップＳＡ−１２：Ｎｏ）ステップＳＡ−１０へ戻り、当該所定時間が経過したら（ステップＳＡ−１２：Ｙｅｓ）本処理を終了する。つまり、スピーカから音が出力されたということで、以下の処理を実行せず終了する。ここで、図７に示す確認画面ＭＤについて説明する。確認画面ＭＤは、スピーカシステム設定の設定内容を表示する領域ＭＤ−１と、ユーザーへの案内を表示する領域ＭＤ−２とで構成される。領域ＭＤ−１には、例えば図７に示す「Ｓｅｌｅｃｔｅｄ  ＦＵＮＣＴＩＯＮ：ＤＶＤ／ＬＤ  ＩＮＰＵＴ：ＡＮＡＬＯＧ  ＳＰＥＡＫＥＲ：Ａ」というような内容が表示される。領域ＭＤ−２には、例えば図７に示す「ＦＲＯＮＴの音声入力を確認中です．．．」というような内容が表示される。
【００６４】
図２に戻り、マイコン１２４は、スピーカシステム設定における「ＦＵＮＣＴＩＯＮ」の項目の設定内容および「ＩＮＰＵＴ」の項目の設定内容（音声入力の設定内容）に基づいて、セレクタ１０６Ａまたはセレクタ１０６Ｄを操作する（ステップＳＡ−１３）。具体的には、スピーカシステム設定が例えば図６や図７に示すものである場合、マイコン１２４は、スピーカシステム設定における「ＦＵＮＣＴＩＯＮ」の項目の設定内容「ＤＶＤ／ＬＤ」および「ＩＮＰＵＴ」の項目の設定内容「ＡＮＡＬＯＧ」に基づいて、アナログ信号に対応するセレクタ１０６Ａを、「ＤＶＤ／ＬＤ」ファンクションと関連付けられている入力端子群１０２Ａ１に合わせる。
【００６５】
図２に戻り、マイコン１２４は、スピーカシステム設定における「ＩＮＰＵＴ」の項目の設定内容に基づいて、第１検出部１２４ａにおけるアナログ音声信号の検出状況または第２検出部１２４ｂにおけるデジタル音声信号の検出状況を確認する（ステップＳＡ−１４）。具体的には、スピーカシステム設定データが例えば図６や図７に示すものである場合、マイコン１２４は、スピーカシステム設定における「ＩＮＰＵＴ」の項目の設定内容「ＡＮＡＬＯＧ」に基づいて、第１検出部１２４ａに対し、所定レベル以上のアナログ音声信号を検出したか否かを確認する。なお、スピーカシステム設定における「ＩＮＰＵＴ」の項目の設定内容が「ＤＩＧＩＴＡＬ」である場合には、マイコン１２４は、第２検出部１２４ｂに対し、デジタル音声信号の電圧の切り替わり（例えば０Ｖ（ボルト）から５Ｖへの一定時間の切り替わり）があるか否かを確認することで、デジタル音声信号を検出したか否かを確認する。
【００６６】
つぎに、マイコン１２４は、ステップＳＡ−１４での確認結果が「検出あり」というものでなかった場合（ステップＳＡ−１５：Ｎｏ）、ステップＳＡ−１４を実行した時から所定時間が経過するまで（ステップＳＡ−１６：Ｎｏ）ステップＳＡ−１４へ戻り、当該所定時間が経過したら（ステップＳＡ−１６：Ｙｅｓ）音が出ない原因のヒントに関する図８に示す案内画面ＭＥを表示部１２６に表示する（ステップＳＡ−１７）。なお、ステップＳＡ−１４を実行した時から所定時間が経過したか否かを考慮することにより、ステップＳＡ−１５での判断対象であるステップＳＡ−１４での確認結果から、入力ソースの無音部分の再生時でのものを排除し、入力ソースの有音部分の再生時でのものを採用することができる。その結果、音が出ない原因のヒントを正確に探索することができる。ここで、図８に示す案内画面ＭＥについて説明する。案内画面ＭＥは、スピーカシステム設定における項目のうち音が出ない原因に関連するものの設定内容を表示する領域ＭＥ−１と、音が出ない原因のヒントに関するユーザーへの案内を表示する領域ＭＥ−２とで構成される。領域ＭＥ−１には、例えば図８に示す「Ｓｅｌｅｃｔｅｄ  ＦＵＮＣＴＩＯＮ：ＤＶＤ／ＬＤ  ＩＮＰＵＴ：ＡＮＡＬＯＧ」というような内容が表示される。領域ＭＥ−２には、例えば図８に示す「入力信号を検出できません。ソース機器の接続を確認して下さい。ソース機器が再生しているかを確認して下さい。ソース機器の出力レベルを確認して下さい。」というような音が出ない原因のヒントに関する内容が表示される。
【００６７】
図２に戻り、マイコン１２４は、ステップＳＡ−１４での確認結果が「検出あり」というものであった場合（ステップＳＡ−１５：Ｙｅｓ）、スピーカシステム設定における「ＳＰＥＡＫＥＲ」の項目の設定内容に基づいて、第４検出部１２４ｄまたは第５検出部１２４ｅにおけるＦＲＯＮＴチャンネルのアナログ音声信号の検出状況を確認する（ステップＳＡ−１８）。具体的には、スピーカシステム設定が例えば図６や図７に示すものである場合、マイコン１２４は、スピーカシステム設定における「ＳＰＥＡＫＥＲ」の項目の設定内容「Ａ」に基づいて、第４検出部１２４ｄに対し、所定レベル以上のＦＲＯＮＴチャンネルのアナログ音声信号を検出したか否かを確認する。なお、マイコン１２４は、スピーカシステム設定における「ＳＰＥＡＫＥＲ」の項目の設定内容が「Ｂ」である場合は、第５検出部１２４ｅに対し、所定レベル以上のＦＲＯＮＴチャンネルのアナログ音声信号を検出したか否かを確認する。
【００６８】
つぎに、マイコン１２４は、ステップＳＡ−１８での確認結果が「検出あり」というものでなかった場合（ステップＳＡ−１９：Ｎｏ）、ステップＳＡ−１８を実行した時から所定時間が経過するまで（ステップＳＡ−２０：Ｎｏ）ステップＳＡ−１８へ戻り、当該所定時間が経過したら（ステップＳＡ−２０：Ｙｅｓ）音が出ない原因のヒントに関する図９に示す案内画面ＭＦを表示部１２６に表示する（ステップＳＡ−２１）。なお、ステップＳＡ−１８を実行した時から所定時間が経過したか否かを考慮することにより、ステップＳＡ−１９での判断対象であるステップＳＡ−１８での確認結果から、入力ソースの無音部分の再生時でのものを排除し、入力ソースの有音部分の再生時でのものを採用することができる。その結果、音が出ない原因のヒントを正確に探索することができる。ここで、図９に示す案内画面ＭＦについて説明する。案内画面ＭＦは、スピーカシステム設定における項目のうち音が出ない原因に関連するものの設定内容を表示する領域ＭＦ−１と、音が出ない原因のヒントに関するユーザーへの案内を表示する領域ＭＦ−２とで構成される。領域ＭＦ−１には、例えば図９に示す「Ｓｅｌｅｃｔｅｄ  ＳＰＥＡＫＥＲ：Ａ」というような内容が表示される。領域ＭＦ−２には、例えば図９に示す「スピーカの接続を確認して下さい。」というような音が出ない原因のヒントに関する内容が表示される。
【００６９】
図２に戻り、マイコン１２４は、ステップＳＡ−１８での確認結果が「検出あり」というものであった場合（ステップＳＡ−１９：Ｙｅｓ）、スピーカシステム設定における「ＳＰＥＡＫＥＲ」の項目の設定内容に基づいて、メモリで管理しているリレー１２０Ａまたはリレー１２０ＢにおけるＦＲＯＮＴチャンネルのリレー（接続）の設定状況を確認する（ステップＳＡ−２２）。具体的には、スピーカシステム設定が例えば図６や図７に示すものである場合、マイコン１２４は、スピーカシステム設定における「ＳＰＥＡＫＥＲ」の項目の設定内容「Ａ」に基づいて、リレー１２０ＡにおけるＦＲＯＮＴチャンネルのリレー（接続）の設定がＯＦＦ（切断）であるか否かを確認する。なお、スピーカシステム設定における「ＳＰＥＡＫＥＲ」の項目の設定内容が「Ｂ」である場合、マイコン１２４は、リレー１２０ＢにおけるＦＲＯＮＴチャンネルのリレー（接続）の設定がＯＦＦ（切断）であるか否かを確認する。
【００７０】
つぎに、マイコン１２４は、ステップＳＡ−２２での確認結果が「ＯＦＦ」というものであった場合（ステップＳＡ−２３：Ｙｅｓ）、音が出ない原因のヒントに関する図１０に示す案内画面ＭＧを表示部１２６に表示する（ステップＳＡ−２４）。ここで、図１０に示す案内画面ＭＧについて説明する。案内画面ＭＧは、音が出ない原因のヒントに関するユーザーへの案内を表示する領域ＭＧ−１で構成される。領域ＭＧ−１には、例えば図１０に示す「ＨＰが挿入されています。」というような音が出ない原因のヒントに関する内容が表示される。
【００７１】
図３に進み、マイコン１２４は、ステップＳＡ−２２での確認結果が「ＯＦＦ」というものでなかった場合（ステップＳＡ−２３：Ｎｏ）、メモリで管理している電子ボリューム値を確認する（ステップＳＡ−２５）。具体的には、マイコン１２４は、電子ボリューム値が所定レベル（例えば−４０ｄＢ（デシベル））より小さいか否か又は電子ボリューム値が−∞（無限大）であるか否かを確認する。
【００７２】
つぎに、マイコン１２４は、ステップＳＡ−２５での確認結果が「所定レベルより小さい」又は「−∞」というものであった場合（ステップＳＡ−２６：Ｙｅｓ）、音が出ない原因のヒントに関する図１１に示す案内画面ＭＨを表示部１２６に表示する（ステップＳＡ−２７）。ここで、図１１に示す案内画面ＭＨについて説明する。案内画面ＭＨは、音が出ない原因のヒントに関するユーザーへの案内を表示する領域ＭＨ−１で構成される。領域ＭＨ−１には、例えば図１１に示す「ボリュームのレベルが小さすぎます。十分なレベルまで上げて下さい。」というような音が出ない原因のヒントに関する内容が表示される。
【００７３】
図３に戻り、マイコン１２４は、ステップＳＡ−２５での確認結果が「所定レベルより小さい」又は「−∞」というものでなかった場合（ステップＳＡ−２６：Ｎｏ）、図１２に示す案内画面ＭＩを表示部１２６に表示する（ステップＳＡ−２８）。ここで、図１２に示す案内画面ＭＩについて説明する。案内画面ＭＩは、ユーザーへの案内を表示する領域ＭＩ−１で構成される。領域ＭＩ−１には、例えば図１２に示す「サービスセンターへお問い合わせ下さい。」というような内容が表示される。
【００７４】
〔３．ＡＶアンプ１００Ａのまとめ〕
以上、詳細に説明したように、ＡＶアンプ１００Ａによれば、第４検出部１２４ｄでの検出結果に加え、さらに第１検出部１２４ａでの検出結果、メモリで管理しているスピーカシステム設定その他に基づいて、スピーカＡからＦＲＯＮＴチャンネル（アナログ音源）の音が出ない原因のヒントを探り、探ったヒントを表示部１２６に表示する。つまり、ＡＶアンプ１００Ａによれば、多岐にわたって、スピーカＡからＦＲＯＮＴチャンネル（アナログ音源）の音が出ない原因のヒントを探り、それを表示する。これにより、ユーザーは、ＦＲＯＮＴチャンネルの音が出ない原因のヒントにつき適確なものを得ることができる。
【００７５】
なお、本実施例１では、ＦＲＯＮＴチャンネルの音が出ない原因のヒントを探る場合を一例として説明したが、例えばＣＥＮＴＥＲチャンネルやＳＵＲＲＯＵＮＤチャンネルの音が出ない原因のヒントも同様に探ることもできる。また、本実施例１では、音が出ない原因のヒントを探る場合を一例として説明したが、例えば映像が出ない原因のヒントを探ることも同様に実施することができる。
【実施例２】
【００７６】
ここでは、本実施形態にかかる信号処理装置の第２実施例であるＡＶ（Ａｕｄｉｏ  Ｖｉｓｕａｌ）アンプ１００Ｂについて、図１３から図３２を参照して詳細に説明する。
【００７７】
〔１．ＡＶアンプ１００Ｂの構成〕
まず、ＡＶアンプ１００Ｂの構成について、図１３を参照して詳細に説明する。図１３は、ＡＶアンプ１００Ｂの構成の一例を示すブロック図である。なお、上述したＡＶアンプ１００Ａの構成と重複する説明を省略する場合がある。
【００７８】
ＤＩＲ１１０は、マイコン１２４とは接続されていない。ＤＳＰ１１２は、マイコン１２４と接続されている。マイコン１２４は、第１検出部１２４ａ、第２検出部１２４ｂおよび第３検出部１２４ｃを備えていない。ＡＶアンプ１００Ｂは、配線１、配線２および配線３を備えていない。
【００７９】
〔２．ＡＶアンプ１００Ｂの動作〕
つぎに、ＡＶアンプ１００Ｂの動作（その１、その２、その３）について、図１４および図１５、図１６および図１７、ならびに図２３および図２４などを参照して詳細に説明する。
【００８０】
〔２−１．動作（その１）〕
まず、ＡＶアンプ１００Ｂの動作（その１）について、図１４および図１５などを参照して詳細に説明する。なお、上述したＡＶアンプ１００Ａの動作における説明と重複するものを省略する場合がある。ここでは、一例として、出力端子群１０４Ａに接続されたスピーカＡからＦＲＯＮＴチャンネルの音が出ない原因のヒントを探る場合におけるＡＶアンプ１００Ｂの動作について説明する。
【００８１】
ユーザーがＨＥＬＰキーを押すと、ＡＶアンプ１００Ｂは、マイコン１２４を中心として、図１４および図１５に示す動作を実行する。なお、マイコン１２４のメモリには、ＡＶアンプ１００Ｂのスピーカシステム設定として、ユーザーが予め設定した「ＦＵＮＣＴＩＯＮ：ＤＶＤ／ＬＤ、ＩＮＰＵＴ：ＡＮＡＬＯＧ、ＳＰＥＡＫＥＲ：Ａ」が記憶されている。
【００８２】
まず、マイコン１２４は、メモリで管理しているスピーカシステム設定における「ＳＰＥＡＫＥＲ」の項目の設定が「ＯＦＦ」であるか否かを確認する（ステップＳＢ−１）。
【００８３】
つぎに、マイコン１２４は、ステップＳＢ−１での確認結果が「ＯＦＦ」というものであった場合（ステップＳＢ−２：Ｙｅｓ）、音が出ない原因のヒントに関する図４に示す案内画面ＭＡを表示部１２６に表示する（ステップＳＢ−３）。
【００８４】
図１４に戻り、マイコン１２４は、ステップＳＢ−１での確認結果が「ＯＦＦ」というものでなかった場合（ステップＳＢ−２：Ｎｏ）、メモリで管理しているミュート（ＭＵＴＥ）の設定が「ＭＵＴＩＮＧ中」であるか否かを確認する（ステップＳＢ−４）。
【００８５】
つぎに、マイコン１２４は、ステップＳＢ−４での確認結果が「ＭＵＴＩＮＧ中」というものであった場合（ステップＳＢ−５：Ｙｅｓ）、音が出ない原因のヒントに関する図５に示す案内画面ＭＢを表示部１２６に表示する（ステップＳＢ−６）。
【００８６】
図１４に戻り、マイコン１２４は、ステップＳＢ−４での確認結果が「ＭＵＴＩＮＧ中」というものでなかった場合（ステップＳＢ−５：Ｎｏ）、図６に示す設定画面ＭＣを表示部１２６に表示する（ステップＳＢ−７）。
【００８７】
ユーザーは、表示部１２６に設定画面ＭＣが表示されたことを確認すると、操作キー１２８を使用して、上述した実施例１における手順〔１１〕および〔１２〕を実行して、スピーカシステム設定の確認や、必要に応じてその変更を行う。
【００８８】
図１４に戻り、マイコン１２４は、操作キー１２８のＥＮＴＥＲキー（設定画面ＭＣにおける領域ＭＣ−２「ＳＥＴ」）が押されると（ステップＳＢ−８：Ｙｅｓ）、スピーカシステム設定における「ＦＵＮＣＴＩＯＮ」の項目の設定内容および「ＩＮＰＵＴ」の項目の設定内容（音声入力の設定内容）に基づいて、セレクタ１０６Ａまたはセレクタ１０６Ｄを操作する（ステップＳＢ−９）。具体的には、スピーカシステム設定が例えば図６に示すものである場合、マイコン１２４は、スピーカシステム設定における「ＦＵＮＣＴＩＯＮ」の項目の設定内容「ＤＶＤ／ＬＤ」および「ＩＮＰＵＴ」の項目の設定内容「ＡＮＡＬＯＧ」に基づいて、アナログ信号に対応するセレクタ１０６Ａを、「ＤＶＤ／ＬＤ」ファンクションと関連付けられている入力端子群１０２Ａ１に合わせる。
【００８９】
そして、ユーザーは、スピーカからの出力を確認し、音が出力されていなければ、図６に示す設定画面ＭＣにおいて、操作キー１２８の矢印キーを上下に操作して、「ＣＨＥＣＫ  ＳＴＡＲＴ」の表示位置へ移動し、操作キー１２８のＥＮＴＥＲキーを押す。これにより、ユーザーは、領域ＭＣ−１に表示されているスピーカシステム設定の設定内容に基づいて、音が出ない原因のヒントを探るようマイコン１２４へ通知する。なお、音が出力されていれば、特に何もしなくてもよい。
【００９０】
図１４に戻り、マイコン１２４は、操作キー１２８のＥＮＴＥＲキー（設定画面ＭＣにおける領域ＭＣ−３「ＣＨＥＣＫ  ＳＴＡＲＴ」）が押されると（ステップＳＢ−１０：Ｙｅｓ）、図７に示す確認画面ＭＤを表示部１２６に表示する（ステップＳＢ−１１）。なお、マイコン１２４は、操作キー１２８のＥＮＴＥＲキー（設定画面ＭＣにおける領域ＭＣ−３「ＣＨＥＣＫ  ＳＴＡＲＴ」）が押されない場合（ステップＳＢ−１０：Ｎｏ）、所定時間が経過するまで（ステップＳＢ−１２：Ｎｏ）ステップＳＢ−１０へ戻り、当該所定時間が経過したら（ステップＳＢ−１２：Ｙｅｓ）本処理を終了する。つまり、スピーカから音が出力されたということで、以下の処理を実行せず終了する。
【００９１】
図１４に戻り、マイコン１２４は、スピーカシステム設定における「ＦＵＮＣＴＩＯＮ」の項目の設定内容および「ＩＮＰＵＴ」の項目の設定内容（音声入力の設定内容）に基づいて、セレクタ１０６Ａまたはセレクタ１０６Ｄを操作する（ステップＳＢ−１３）。具体的には、スピーカシステム設定が例えば図６や図７に示すものである場合、マイコン１２４は、スピーカシステム設定における「ＦＵＮＣＴＩＯＮ」の項目の設定内容「ＤＶＤ／ＬＤ」および「ＩＮＰＵＴ」の項目の設定内容「ＡＮＡＬＯＧ」に基づいて、アナログ信号に対応するセレクタ１０６Ａを、「ＤＶＤ／ＬＤ」ファンクションと関連付けられている入力端子群１０２Ａ１に合わせる。
【００９２】
図１４に戻り、マイコン１２４は、スピーカシステム設定における「ＩＮＰＵＴ」の項目の設定内容に基づいて、ＤＳＰ１１２に対し、デコードする音声信号の種別を指示する（ステップＳＢ−１４）。具体的には、スピーカシステム設定が例えば図６や図７に示すものである場合、マイコン１２４は、スピーカシステム設定における「ＩＮＰＵＴ」の項目の設定内容「ＡＮＡＬＯＧ」に基づいて、ＤＳＰ１１２に対し、アナログ音声信号（ｓｉｇ−Ａ）をデコードするよう指示する。なお、当該指示を受けたＤＳＰ１１２は、当該種別の音声信号をデコードしてＤ／Ａ変換器１１４へ出力すると共に、当該ＤＳＰ１１２への音声信号の入力状況に基づいて音声信号の入力の有無を判断したりＤ／Ａ変換器１１４への音声信号の出力状況に基づいて音声信号の出力の有無を判断したりし、その判断結果をマイコン１２４へ伝送する。具体的には、当該指示を受けたＤＳＰ１１２は、アナログ音声信号（ｓｉｇ−Ａ）をデコードしてＤ／Ａ変換器１１４へ出力すると共に、当該ＤＳＰ１１２へのアナログ音声信号の入力レベルに基づいて所定レベル以上のアナログ音声信号の入力の有無を判断したりデコードしたアナログ音声信号の出力レベルに基づいて所定レベル以上のアナログ音声信号の出力の有無を判断したりし、その判断結果をマイコン１２４へ伝送する。
【００９３】
つぎに、マイコン１２４は、ＤＳＰ１１２から伝送された判断結果における音声信号（具体的にはアナログ音声信号）の出力の有無を確認する（ステップＳＢ−１５）。
【００９４】
つぎに、マイコン１２４は、ステップＳＢ−１５での確認結果が「出力あり」というものでなかった場合（ステップＳＢ−１６：Ｎｏ）、ステップＳＢ−１５を実行した時から所定時間が経過するまで（ステップＳＢ−１７：Ｎｏ）ステップＳＢ−１５へ戻り、当該所定時間が経過したら（ステップＳＢ−１７：Ｙｅｓ）音が出ない原因のヒントに関する図８に示す案内画面ＭＥを表示部１２６に表示する（ステップＳＢ−１８）。
【００９５】
図１４に戻り、マイコン１２４は、ステップＳＢ−１５での確認結果が「出力あり」というものであった場合（ステップＳＢ−１６：Ｙｅｓ）、スピーカシステム設定における「ＳＰＥＡＫＥＲ」の項目の設定内容に基づいて、第４検出部１２４ｄまたは第５検出部１２４ｅにおけるＦＲＯＮＴチャンネルのアナログ音声信号の検出状況を確認する（ステップＳＢ−１９）。
【００９６】
つぎに、マイコン１２４は、ステップＳＢ−１９での確認結果が「検出あり」というものでなかった場合（ステップＳＢ−２０：Ｎｏ）、ステップＳＢ−１９を実行した時から所定時間が経過するまで（ステップＳＢ−２１：Ｎｏ）ステップＳＢ−１９へ戻り、当該所定時間が経過したら（ステップＳＢ−２１：Ｙｅｓ）音が出ない原因のヒントに関する図９に示す案内画面ＭＦを表示部１２６に表示する（ステップＳＢ−２２）。
【００９７】
図１４に戻り、マイコン１２４は、ステップＳＢ−１９での確認結果が「検出あり」というものであった場合（ステップＳＢ−２０：Ｙｅｓ）、スピーカシステム設定における「ＳＰＥＡＫＥＲ」の項目の設定内容に基づいて、メモリで管理しているリレー１２０Ａまたはリレー１２０ＢにおけるＦＲＯＮＴチャンネルのリレー（接続）の設定状況を確認する（ステップＳＢ−２３）。具体的には、スピーカシステム設定が例えば図６や図７に示すものである場合、マイコン１２４は、スピーカシステム設定における「ＳＰＥＡＫＥＲ」の項目の設定内容「Ａ」に基づいて、リレー１２０ＡにおけるＦＲＯＮＴチャンネルのリレー（接続）の設定がＯＦＦ（切断）であるか否かを確認する。なお、マイコン１２４は、スピーカシステム設定における「ＳＰＥＡＫＥＲ」の項目の設定内容が「Ｂ」である場合は、リレー１２０ＢにおけるＦＲＯＮＴチャンネルのリレー（接続）の設定がＯＦＦ（切断）であるか否かを確認する。
【００９８】
つぎに、マイコン１２４は、ステップＳＢ−２３での確認結果が「ＯＦＦ」というものであった場合（ステップＳＢ−２４：Ｙｅｓ）、音が出ない原因のヒントに関する図１０に示す案内画面ＭＧを表示部１２６に表示する（ステップＳＢ−２５）。
【００９９】
図１５に進み、マイコン１２４は、ステップＳＢ−２３での確認結果が「ＯＦＦ」というものでなかった場合（ステップＳＢ−２４：Ｎｏ）、メモリで管理している電子ボリューム値を確認する（ステップＳＢ−２６）。具体的には、マイコン１２４は、電子ボリューム値が所定レベル（例えば−４０ｄＢ（デシベル））より小さいか否か又は電子ボリューム値が−∞（無限大）であるか否かを確認する。
【０１００】
つぎに、マイコン１２４は、ステップＳＢ−２６での確認結果が「所定レベルより小さい」又は「−∞」というものであった場合（ステップＳＢ−２７：Ｙｅｓ）、音が出ない原因のヒントに関する図１１に示す案内画面ＭＨを表示部１２６に表示する（ステップＳＢ−２８）。
【０１０１】
図１５に戻り、マイコン１２４は、ステップＳＢ−２６での確認結果が「所定レベルより小さい」又は「−∞」というものでなかった場合（ステップＳＢ−２７：Ｎｏ）、図１２に示す案内画面ＭＩを表示部１２６に表示する（ステップＳＢ−２９）。
【０１０２】
これにて、ＡＶアンプ１００Ｂの動作（その１）の説明を終了する。
【０１０３】
〔２−２．動作（その２）〕
つぎに、ＡＶアンプ１００Ｂの動作（その２）について、図１６および図１７などを参照して詳細に説明する。なお、上述したＡＶアンプ１００Ａの動作やＡＶアンプ１００Ｂの動作（その１）における説明と重複するものを省略する場合がある。ここでは、一例として、出力端子群１０４Ａに接続されたスピーカＡからＣＥＮＴＥＲチャンネルの音が出ない原因のヒントを探る場合におけるＡＶアンプ１００Ｂの動作について説明する。
【０１０４】
ユーザーがＨＥＬＰキーを押すと、ＡＶアンプ１００Ｂは、マイコン１２４を中心として、図１６および図１７に示す動作を実行する。なお、マイコン１２４のメモリには、ＡＶアンプ１００Ｂのスピーカシステム設定として、ユーザーが予め設定した「ＦＵＮＣＴＩＯＮ：ＤＶＤ／ＬＤ、ＩＮＰＵＴ：ＤＩＧＩＴＡＬ、ＳＰＥＡＫＥＲ：Ａ」が記憶されている。
【０１０５】
ここで、図１６に示すステップＳＣ−１からステップＳＣ−１２までは、上述した図１４に示すステップＳＢ−１からステップＳＢ−１２までと同じであるため、その説明を省略する。
【０１０６】
図１６に示すステップＳＣ−１２に続いて、マイコン１２４は、スピーカシステム設定における「ＦＵＮＣＴＩＯＮ」の項目の設定内容および「ＩＮＰＵＴ」の項目の設定内容（音声入力の設定内容）に基づいて、セレクタ１０６Ａまたはセレクタ１０６Ｄを操作する（ステップＳＣ−１３）。具体的には、スピーカシステム設定が例えば「ＦＵＮＣＴＩＯＮ：ＤＶＤ／ＬＤ、ＩＮＰＵＴ：ＤＩＧＩＴＡＬ、ＳＰＥＡＫＥＲ：Ａ」である場合、マイコン１２４は、スピーカシステム設定における「ＦＵＮＣＴＩＯＮ」の項目の設定内容「ＤＶＤ／ＬＤ」および「ＩＮＰＵＴ」の項目の設定内容「ＤＩＧＩＴＡＬ」に基づいて、デジタル信号に対応するセレクタ１０６Ｄを、「ＤＶＤ／ＬＤ」ファンクションと関連付けられている入力端子（具体的には入力端子１０２Ｄ１、入力端子１０２Ｄ２、入力端子１０２Ｄ３のいずれか）に合わせる。
【０１０７】
つぎに、マイコン１２４は、スピーカシステム設定における「ＩＮＰＵＴ」の項目の設定内容に基づいて、ＤＳＰ１１２に対し、デコードする音声信号の種別を指示する（ステップＳＣ−１４）。具体的には、スピーカシステム設定が例えば「ＦＵＮＣＴＩＯＮ：ＤＶＤ／ＬＤ、ＩＮＰＵＴ：ＤＩＧＩＴＡＬ、ＳＰＥＡＫＥＲ：Ａ」である場合、マイコン１２４は、スピーカシステム設定における「ＩＮＰＵＴ」の項目の設定内容「ＤＩＧＩＴＡＬ」に基づいて、デジタル音声信号（ｓｉｇ−Ｄ）をデコードするよう指示する。なお、当該指示を受けたＤＳＰ１１２は、当該種別の音声信号をデコードしてＤ／Ａ変換器１１４へ出力すると共に、当該ＤＳＰ１１２への音声信号の入力状況に基づいて音声信号の入力の有無を判断したりＤ／Ａ変換器１１４への音声信号の出力状況に基づいて音声信号の出力の有無を判断したりし、その判断結果をマイコン１２４へ伝送する。具体的には、当該指示を受けたＤＳＰ１１２は、デジタル音声信号（ｓｉｇ−Ｄ）デコードした音声信号の出力レベルをマイコン１２４へ伝送する。具体的には、当該指示を受けたＤＳＰ１１２はデジタル音声信号（ｓｉｇ−Ｄ）をデコードしてＤ／Ａ変換器１１４へ出力すると共に、当該ＤＳＰ１１２へ入力したデジタル音声信号の電圧の切り替わり（例えば０Ｖ（ボルト）から５Ｖへの一定時間の切り替わり）に基づいてデジタル音声信号の入力の有無を判断したりデコードしたデジタル音声信号の電圧の切り替わり（例えば０Ｖ（ボルト）から５Ｖへの一定時間の切り替わり）に基づいてデジタル音声信号の出力の有無を判断したりし、その判断結果をマイコン１２４へ伝送する。
【０１０８】
つぎに、マイコン１２４は、ＤＳＰ１１２に対し、設定するリスニングモードを指示する（ステップＳＣ−１５）。
【０１０９】
つぎに、マイコン１２４は、メモリで管理している電子ボリューム値を確認する（ステップＳＣ−１６）。具体的には、マイコン１２４は、電子ボリューム値が所定レベル（例えば−４０ｄＢ（デシベル））より小さいか否か又は電子ボリューム値が−∞（無限大）であるか否かを確認する。
【０１１０】
つぎに、マイコン１２４は、ステップＳＣ−１６での確認結果が「所定レベルより小さい」又は「−∞」というものであった場合（ステップＳＣ−１７：Ｙｅｓ）、音が出ない原因のヒントに関する図１１に示す案内画面ＭＨを表示部１２６に表示する（ステップＳＣ−１８）。
【０１１１】
つぎに、マイコン１２４は、ステップＳＣ−１６での確認結果が「所定レベルより小さい」又は「−∞」というものでなかった場合（ステップＳＣ−１７：Ｎｏ）、スピーカシステム設定における「ＳＰＥＡＫＥＲ」の項目の設定内容に基づいて、メモリで管理しているリレー１２０Ａまたはリレー１２０ＢにおけるＣＥＮＴＥＲチャンネルのリレー（接続）の設定状況を確認する（ステップＳＣ−１９）。具体的には、スピーカシステム設定が例えば「ＦＵＮＣＴＩＯＮ：ＤＶＤ／ＬＤ、ＩＮＰＵＴ：ＤＩＧＩＴＡＬ、ＳＰＥＡＫＥＲ：Ａ」である場合、マイコン１２４は、スピーカシステム設定における「ＳＰＥＡＫＥＲ」の項目の設定内容「Ａ」に基づいて、リレー１２０ＡにおけるＣＥＮＴＥＲチャンネルのリレー（接続）の設定がＯＦＦ（切断）であるか否かを確認する。なお、マイコン１２４は、スピーカシステム設定における「ＳＰＥＡＫＥＲ」の項目の設定内容が「Ｂ」である場合は、リレー１２０ＢにおけるＣＥＮＴＥＲチャンネルのリレー（接続）の設定がＯＦＦ（切断）であるか否かを確認する。
【０１１２】
つぎに、マイコン１２４は、ステップＳＣ−１９での確認結果が「ＯＦＦ」というものでなかった場合（ステップＳＣ−２０：Ｎｏ）、スピーカシステム設定における「ＳＰＥＡＫＥＲ」の項目の設定内容に基づいて、第４検出部１２４ｄまたは第５検出部１２４ｅにおけるＣＥＮＴＥＲチャンネルのアナログ音声信号の検出状況を確認する（ステップＳＣ−２１）。具体的には、スピーカシステム設定が例えば「ＦＵＮＣＴＩＯＮ：ＤＶＤ／ＬＤ、ＩＮＰＵＴ：ＤＩＧＩＴＡＬ、ＳＰＥＡＫＥＲ：Ａ」である場合、マイコン１２４は、スピーカシステム設定における「ＳＰＥＡＫＥＲ」の項目の設定内容「Ａ」に基づいて、第４検出部１２４ｄに対し、ＣＥＮＴＥＲチャンネルのアナログ音声信号を検出したか否かを確認する。
【０１１３】
つぎに、マイコン１２４は、ステップＳＣ−２１での確認結果が「ＣＥＮＴＥＲチャンネルの検出あり」というものであった場合（ステップＳＣ−２２：Ｙｅｓ）、音が出ない原因のヒントに関する図９に示す案内画面ＭＦを表示部１２６に表示し（ステップＳＣ−２３）、ステップＳＣ−２１での確認結果が「ＣＥＮＴＥＲチャンネルの検出あり」というものでなかった場合（ステップＳＣ−２２：Ｎｏ）、図１２に示す案内画面ＭＩを表示部１２６に表示する（ステップＳＣ−２４）。
【０１１４】
図１７に進み、マイコン１２４は、ステップＳＣ−１９での確認結果が「ＯＦＦ」というものであった場合（ステップＳＣ−２０：Ｙｅｓ）、メモリで管理しているスピーカ設定が「ＣＥＮＴＥＲチャンネルあり」であるか否かを確認する（ステップＳＣ−２５）。
【０１１５】
つぎに、マイコン１２４は、ステップＳＣ−２５での確認結果が「ＣＥＮＴＥＲチャンネルあり」というものでなかった場合（ステップＳＣ−２６：Ｎｏ）、音が出ない原因のヒントに関する図１８に示す案内画面ＭＪを表示部１２６に表示する（ステップＳＣ−２７）。ここで、図１８に示す案内画面ＭＪについて説明する。案内画面ＭＪは、音が出ない原因のヒントに関するユーザーへの案内を表示する領域ＭＪ−１で構成される。領域ＭＪ−１には、例えば図１８に示す「スピーカ設定が「Ｃｃｈなし」になっています。確認して下さい。」というような音が出ない原因のヒントに関する内容が表示される。
【０１１６】
図１７に戻り、マイコン１２４は、ステップＳＣ−２５での確認結果が「ＣＥＮＴＥＲチャンネルあり」というものであった場合（ステップＳＣ−２６：Ｙｅｓ）、ＨＰ（ヘッドフォン）が出力端子１０４Ｈに挿入されているか否かを確認する（ステップＳＣ−２８）。
【０１１７】
つぎに、マイコン１２４は、ステップＳＣ−２８での確認結果が「挿入あり」というものであった場合（ステップＳＣ−２９：Ｙｅｓ）、音が出ない原因のヒントに関する図１０に示す案内画面ＭＧを表示部１２６に表示する（ステップＳＣ−３０）。
【０１１８】
つぎに、マイコン１２４は、ステップＳＣ−２８での確認結果が「挿入あり」というものでなかった場合（ステップＳＣ−２９：Ｎｏ）、メモリで管理しているサウンドモード設定が「ＳＴＥＲＥＯモード中」であるか否かを確認する（ステップＳＣ−３１）。
【０１１９】
つぎに、マイコン１２４は、ステップＳＣ−３１での確認結果が「ＳＴＥＲＥＯモード中」というものであった場合（ステップＳＣ−３２：Ｙｅｓ）、音が出ない原因のヒントに関する図１９に示す案内画面ＭＫを表示部１２６に表示する（ステップＳＣ−３３）。ここで、図１９に示す案内画面ＭＫについて説明する。案内画面ＭＫは、音が出ない原因のヒントに関するユーザーへの案内を表示する領域ＭＫ−１で構成される。領域ＭＫ−１には、例えば図１９に示す「ＳＴＥＲＥＯモードになっています。ＳＴＥＲＥＯモードをＯＦＦにして下さい。」というような音が出ない原因のヒントに関する内容が表示される。
【０１２０】
図１７に戻り、マイコン１２４は、ステップＳＣ−３１での確認結果が「ＳＴＥＲＥＯモード中」というものでなかった場合（ステップＳＣ−３２：Ｎｏ）、メモリで管理しているＤＩＲＥＣＴモード設定がＯＮであるか否かを確認する（ステップＳＣ−３４）。
【０１２１】
つぎに、マイコン１２４は、ステップＳＣ−３４での確認結果が「ＤＩＲＥＣＴ  ＯＮ中」というものであった場合（ステップＳＣ−３５：Ｙｅｓ）、音が出ない原因のヒントに関する図２２に示す案内画面ＭＮを表示部１２６に表示する（ステップＳＣ−３６）。ここで、図２２に示す案内画面ＭＮについて説明する。案内画面ＭＮは、音が出ない原因のヒントに関するユーザーへの案内を表示する領域ＭＮ−１で構成される。領域ＭＮ−１には、例えば図２２に示す「ＤＩＲＥＣＴモード  ＯＮになっています。ＯＦＦにして下さい。」というような音が出ない原因のヒントに関する内容が表示される。
【０１２２】
図１７に戻り、マイコン１２４は、ステップＳＣ−３４での確認結果が「ＤＩＲＥＣＴ  ＯＮ中」というものでなかった場合（ステップＳＣ−３５：Ｎｏ）、メモリで管理しているリスニングモード設定が「バーチャルサラウンドモード」であるか否かを確認する（ステップＳＣ−３７）。
【０１２３】
つぎに、マイコン１２４は、ステップＳＣ−３７での確認結果が「バーチャルサラウンドモード」というものであった場合（ステップＳＣ−３８：Ｙｅｓ）、音が出ない原因のヒントに関する図２０に示す案内画面ＭＬを表示部１２６に表示する（ステップＳＣ−３９）。ここで、図２０に示す案内画面ＭＬについて説明する。案内画面ＭＬは、音が出ない原因のヒントに関するユーザーへの案内を表示する領域ＭＬ−１で構成される。領域ＭＬ−１には、例えば図２０に示す「リスニングモードを確認して下さい。」というような音が出ない原因のヒントに関する内容が表示される。
【０１２４】
図１７に戻り、マイコン１２４は、ステップＳＣ−３７での確認結果が「バーチャルサラウンドモード」というものでなかった場合（ステップＳＣ−３８：Ｎｏ）、ステップＳＣ−１１でＤＳＰ１１２から伝送された判断結果（具体的には、デジタル音声信号の入力の有無）に基づいて、入力ソースにＣチャンネルのデジタル音声信号がないか否かを確認する（ステップＳＣ−４０）。ここで、ＤＶＤディスクは、オーディオモードなどと呼ばれる表現（具体的には「３／２」や「２／２」や「２／０」というような表現）で分類される。なお、「３／２」に分類されるＤＶＤディスクは、ＦＬチャンネル、Ｃチャンネル、ＦＲチャンネル、ＳＬチャンネルおよびＳＲチャンネルの音声信号を含む。「２／２」に分類されるＤＶＤディスクは、ＦＬチャンネル、ＦＲチャンネル、ＳＬチャンネルおよびＳＲチャンネルの音声信号を含む。「２／０」に分類されるＤＶＤディスクは、ＦＬチャンネルおよびＦＲチャンネルの音声信号を含み、サラウンド音声信号を含まない。例えば、「２／２」に分類されるＤＶＤディスクが入力ソースとして再生されていれば、ＤＳＰ１１２にはＣチャンネルの音声信号は入力されない。
【０１２５】
つぎに、マイコン１２４は、ステップＳＣ−４０での確認結果が「Ｃチャンネルなし」というものでなかった場合（ステップＳＣ−４１：Ｎｏ）、図１２に示す案内画面ＭＩを表示部１２６に表示する（ステップＳＣ−４２）。
【０１２６】
つぎに、マイコン１２４は、ステップＳＣ−４０での確認結果が「Ｃチャンネルなし」というものであった場合（ステップＳＣ−４１：Ｙｅｓ）、リスニングモードのデコードが「Ｃチャンネルあり」であるか否かを確認する（ステップＳＣ−４３）。
【０１２７】
つぎに、マイコン１２４は、ステップＳＣ−４３での確認結果が「Ｃチャンネルあり」というものでなかった場合（ステップＳＣ−４４：Ｎｏ）、音が出ない原因のヒントに関する図２１に示す案内画面ＭＭを表示部１２６に表示する（ステップＳＣ−４５）。ここで、図２１に示す案内画面ＭＭについて説明する。案内画面ＭＭは、音が出ない原因のヒントに関するユーザーへの案内を表示する領域ＭＭ−１で構成される。領域ＭＭ−１には、例えば図２１に示す「入力ソースはＣｃｈを含んでいません。Ｃｃｈを含むソースにして下さい。又はリスニングモードを確認して下さい。」というような音が出ない原因のヒントに関する内容が表示される。
【０１２８】
図１７に戻り、マイコン１２４は、ステップＳＣ−４３での確認結果が「Ｃチャンネルあり」というものであった場合（ステップＳＣ−４４：Ｙｅｓ）、図１２に示す案内画面ＭＩを表示部１２６に表示する（ステップＳＣ−４６）。
【０１２９】
これにて、ＡＶアンプ１００Ｂの動作（その２）の説明を終了する。
【０１３０】
〔２−３．動作（その３）〕
つぎに、ＡＶアンプ１００Ｂの動作（その３）について、図２３および図２４などを参照して詳細に説明する。なお、上述したＡＶアンプ１００Ａの動作やＡＶアンプ１００Ｂの動作（その１）やＡＶアンプ１００Ｂの動作（その２）における説明と重複するものを省略する場合がある。ここでは、一例として、出力端子群１０４Ａに接続されたスピーカＡからＦＲＯＮＴチャンネルの音が出ない原因のヒントを探る前に、ユーザーを誘導しながらユーザーにスピーカシステム設定を登録（設定）させる場合におけるＡＶアンプ１００Ｂの動作について説明する。
【０１３１】
ユーザーが、取扱説明書などでスピーカシステムの接続（具体的には、「ＤＶＤ／ＬＤ」ファンクションに対応する入力端子群１０２Ａ１およびＣＯＡＸ１に対応する入力端子１０２Ｄ１にソース機器を接続すると共にスピーカを出力端子群１０４Ａ（スピーカＡ）に接続し、ＡＶアンプ１００Ｂの電源を入れ、付属品として同梱した接続確認用ディスクを再生した後、ＨＥＬＰキーを押すと、ＡＶアンプ１００Ｂは、マイコン１２４を中心として、図２３および図２４に示す動作を実行する。
【０１３２】
まず、マイコン１２４は、図２５に示す指示画面ＭＯを表示部１２６に表示する（ステップＳＤ−１）。ここで、図２５に示す指示画面ＭＯについて説明する。指示画面ＭＯは、スピーカシステム設定における「ＦＵＮＣＴＩＯＮ」の項目の設定に関するユーザーへの指示内容を表示する領域ＭＯ−１と、領域ＭＯ−１に表示されている指示内容を実行し終えたことをマイコン１２４へ通知するための領域ＭＯ−２とで構成される。領域ＭＯ−１には、例えば図２５に示す「ＦＵＮＣＴＩＯＮをＤＶＤ／ＬＤに設定して下さい。」というような内容が表示される。領域ＭＯ−２には、例えば図２５に示す「ＥＮＴＥＲ：ＮＥＸＴ」という文字がＥＮＴＥＲキーで押下可能に表示される。
【０１３３】
ユーザーは、表示部１２６に指示画面ＭＯが表示されたことを確認すると領域ＭＯ−１に表示されている指示内容を実行し、操作キー１２８のＥＮＴＥＲキーを押す。これにより、ユーザーは、領域ＭＯ−１に表示されている指示内容を実行し終えたことをマイコン１２４へ通知する。
【０１３４】
図２３に戻り、マイコン１２４は、操作キー１２８のＥＮＴＥＲキー（指示画面ＭＯにおける領域ＭＯ−２「ＥＮＴＥＲ：ＮＥＸＴ」）が押されると（ステップＳＤ−２：Ｙｅｓ）、図２６に示す指示画面ＭＰを表示部１２６に表示する（ステップＳＤ−３）。ここで、図２６に示す指示画面ＭＰについて説明する。指示画面ＭＰは、スピーカシステム設定における「ＩＮＰＵＴ」の項目の設定に関するユーザーへの指示内容を表示する領域ＭＰ−１と、領域ＭＰ−１に表示されている指示内容を実行し終えたことをマイコン１２４へ通知するための領域ＭＰ−２とで構成される。領域ＭＰ−１には、例えば図２６に示す「ＩＮＰＵＴをＡＮＡＬＯＧに設定して下さい。」というような内容が表示される。領域ＭＰ−２には、例えば図２６に示す「ＥＮＴＥＲ：ＮＥＸＴ」という文字がＥＮＴＥＲキーで押下可能に表示される。
【０１３５】
ユーザーは、表示部１２６に指示画面ＭＰが表示されたことを確認すると領域ＭＰ−１に表示されている指示内容を実行し、操作キー１２８のＥＮＴＥＲキーを押す。これにより、ユーザーは、領域ＭＰ−１に表示されている指示内容を実行し終えたことをマイコン１２４へ通知する。
【０１３６】
図２３に戻り、マイコン１２４は、操作キー１２８のＥＮＴＥＲキー（指示画面ＭＰにおける領域ＭＰ−２「ＥＮＴＥＲ：ＮＥＸＴ」）が押されると（ステップＳＤ−４：Ｙｅｓ）、指示画面ＭＯにおける指示内容に基づいて、セレクタ１０６Ａを操作する（ステップＳＤ−５）。具体的には、マイコン１２４は、指示画面ＭＯにおける指示内容「ＦＵＮＣＴＩＯＮをＤＶＤ／ＬＤに設定して下さい。」に基づいて、セレクタ１０６Ａを、「ＤＶＤ／ＬＤ」ファンクションと関連付けられている入力端子群１０２Ａ１に合わせる。
【０１３７】
つぎに、マイコン１２４は、指示画面ＭＰにおける指示内容に基づいて、ＤＳＰ１１２に、デコードする音声信号の種別を指示する（ステップＳＤ−６）。具体的には、マイコン１２４は、指示画面ＭＰにおける指示内容「ＩＮＰＵＴをＡＮＡＬＯＧに設定して下さい。」に基づいて、アナログ音声信号（ｓｉｇ−Ａ）をデコードするよう指示する。
【０１３８】
つぎに、マイコン１２４は、図２７に示す指示画面ＭＱを表示部１２６に表示する（ステップＳＤ−７）。ここで、図２７に示す指示画面ＭＱについて説明する。指示画面ＭＱは、スピーカシステム設定における「ＳＰＥＡＫＥＲ」の項目の設定に関するユーザーへの指示内容を表示する領域ＭＱ−１と、領域ＭＱ−１に表示されている指示内容を実行し終えたことをマイコン１２４へ通知するための領域ＭＱ−２とで構成される。領域ＭＱ−１には、例えば図２７に示す「ＳＰＥＡＫＥＲ  ＳＹＳＴＥＭをＡに設定して下さい。」というような内容が表示される。領域ＭＱ−２には、例えば図２７に示す「ＥＮＴＥＲ：ＮＥＸＴ」という文字がＥＮＴＥＲキーで押下可能に表示される。
【０１３９】
ユーザーは、表示部１２６に指示画面ＭＱが表示されたことを確認すると領域ＭＱ−１に表示されている指示内容を実行し、操作キー１２８のＥＮＴＥＲキーを押す。これにより、ユーザーは、領域ＭＱ−１に表示されている指示内容を実行し終えたことをマイコン１２４へ通知する。
【０１４０】
図２３に戻り、マイコン１２４は、操作キー１２８のＥＮＴＥＲキー（指示画面ＭＱにおける領域ＭＱ−２「ＥＮＴＥＲ：ＮＥＸＴ」）が押されると（ステップＳＤ−８：Ｙｅｓ）、図２８に示す指示画面ＭＲを表示部１２６に表示する（ステップＳＤ−９）。ここで、図２８に示す指示画面ＭＲについて説明する。指示画面ＭＲは、ユーザーへの指示内容を表示する領域ＭＲ−１と、領域ＭＲ−１に表示されている指示内容を実行し終えたことをマイコン１２４へ通知するための領域ＭＲ−２とで構成される。領域ＭＲ−１には、例えば図２８に示す「ソース機器を再生して下さい。（出力レベルをご確認下さい。）」というような内容が表示される。領域ＭＲ−２には、例えば図２８に示す「ＥＮＴＥＲ：ＮＥＸＴ」という文字がＥＮＴＥＲキーで押下可能に表示される。
【０１４１】
ユーザーは、表示部１２６に指示画面ＭＲが表示されたことを確認すると領域ＭＲ−１に表示されている指示内容を実行し、操作キー１２８のＥＮＴＥＲキーを押す。これにより、ユーザーは、領域ＭＲ−１に表示されている指示内容を実行し終えたことをマイコン１２４へ通知する。
【０１４２】
図２３に戻り、マイコン１２４は、操作キー１２８のＥＮＴＥＲキー（指示画面ＭＲにおける領域ＭＲ−２「ＥＮＴＥＲ：ＮＥＸＴ」）が押されると（ステップＳＤ−１０：Ｙｅｓ）、図２９または図３０に示す指示画面ＭＳを表示部１２６に表示する（ステップＳＤ−１１）。ここで、図２９や図３０に示す指示画面ＭＳについて説明する。指示画面ＭＳは、音声出力に関するユーザーへの指示内容を表示する領域ＭＳ−１と、領域ＭＳ−１に表示されている指示内容への回答を矢印キーで選択可能に表示する領域ＭＳ−２と、領域ＭＳ−１に表示されている指示内容に対し領域ＭＳ−２に表示されている回答を選択したことをマイコン１２４へ通知するための領域ＭＳ−３とで構成される。領域ＭＳ−１には、例えば図２９や図３０に示す「ＦＲＯＮＴスピーカから音声出力されましたか？」というような内容が表示される。領域ＭＳ−２には、例えば図２９に示す「Ｙｅｓ」という文字が矢印キーで「Ｎｏ」に変更可能に表示され、例えば図３０に示す「Ｎｏ」という文字が矢印キーで「Ｙｅｓ」に変更可能に表示される。領域ＭＳ−３には、例えば図２９や図３０に示す「ＥＮＴＥＲ：ＮＥＸＴ」という文字がＥＮＴＥＲキーで押下可能に表示される。
【０１４３】
ユーザーは、表示部１２６に指示画面ＭＳが表示されたことを確認すると領域ＭＳ−１に表示されている指示内容を実行し、必要に応じて操作キー１２８の矢印キーで領域ＭＳ−２の文字を変更し、操作キー１２８のＥＮＴＥＲキーを押す。これにより、ユーザーは、領域ＭＳ−１に表示されている指示内容に対し、領域ＭＳ−２に表示されている回答を選択したことをマイコン１２４へ通知する。
【０１４４】
図２４へ進み、マイコン１２４は、操作キー１２８のＥＮＴＥＲキー（指示画面ＭＳにおける領域ＭＳ−３「ＥＮＴＥＲ：ＮＥＸＴ」）が押され（ステップＳＤ−１２：Ｙｅｓ）、さらに指示画面ＭＳの領域ＭＳ−２において「Ｙｅｓ」が選択されなかった場合（ステップＳＤ−１３：Ｎｏ）、上述した図１４のステップＳＢ−１４から図１５のステップＳＢ−２９までを実行する（ステップＳＤ−１４）。
【０１４５】
つぎに、マイコン１２４は、操作キー１２８のＥＮＴＥＲキー（指示画面ＭＳにおける領域ＭＳ−３「ＥＮＴＥＲ：ＮＥＸＴ」）が押され（ステップＳＤ−１２：Ｙｅｓ）、さらに指示画面ＭＳの領域ＭＳ−２において「Ｙｅｓ」が選択された場合（ステップＳＤ−１３：Ｙｅｓ）、図３１に示す指示画面ＭＴを表示部１２６に表示する（ステップＳＤ−１５）。ここで、図３１に示す指示画面ＭＴについて説明する。指示画面ＭＴは、スピーカシステム設定における「ＩＮＰＵＴ」の項目の設定に関するユーザーへの指示内容を表示する領域ＭＴ−１と、領域ＭＴ−１に表示されている指示内容を実行し終えたことをマイコン１２４へ通知するための領域ＭＴ−２とで構成される。領域ＭＴ−１には、例えば図３１に示す「ＩＮＰＵＴをＤＩＧＩＴＡＬに設定して下さい。」というような内容が表示される。領域ＭＴ−２には、例えば図３１に示す「ＥＮＴＥＲ：ＮＥＸＴ」という文字がＥＮＴＥＲキーで押下可能に表示される。
【０１４６】
ユーザーは、表示部１２６に指示画面ＭＴが表示されたことを確認すると領域ＭＴ−１に表示されている指示内容を実行し、操作キー１２８のＥＮＴＥＲキーを押す。これにより、ユーザーは、領域ＭＴ−１に表示されている指示内容を実行し終えたことをマイコン１２４へ通知する。
【０１４７】
図２４に戻り、マイコン１２４は、操作キー１２８のＥＮＴＥＲキー（指示画面ＭＴにおける領域ＭＴ−２「ＥＮＴＥＲ：ＮＥＸＴ」）が押されると（ステップＳＤ−１６：Ｙｅｓ）、指示画面ＭＴにおける指示内容に基づいて、ＤＳＰ１１２に、デコードする音声信号の種別を指示する（ステップＳＤ−１７）。具体的には、マイコン１２４は、指示画面ＭＴにおける指示内容「ＩＮＰＵＴをＤＩＧＩＴＡＬに設定して下さい。」に基づいて、デジタル音声信号（ｓｉｇ−Ｄ）をデコードするよう指示する。
【０１４８】
つぎに、マイコン１２４は、図３２に示す指示画面ＭＵを表示部１２６に表示する（ステップＳＤ−１８）。ここで、図３２に示す指示画面ＭＵについて説明する。指示画面ＭＵは、スピーカシステム設定における「ＩＮＰＵＴ」の項目の設定に関するユーザーへの指示内容を表示する領域ＭＵ−１と、領域ＭＵ−１に表示されている指示内容を実行し終えたことをマイコン１２４へ通知するための領域ＭＵ−２とで構成される。領域ＭＵ−１には、例えば図３２に示す「ＩＮＰＵＴ割当てをＣＯＡＸ１に設定して下さい。」というような内容が表示される。領域ＭＵ−２には、例えば図３２に示す「ＥＮＴＥＲ：ＮＥＸＴ」という文字がＥＮＴＥＲキーで押下可能に表示される。
【０１４９】
ユーザーは、表示部１２６に指示画面ＭＵが表示されたことを確認すると領域ＭＵ−１に表示されている指示内容を実行し、操作キー１２８のＥＮＴＥＲキーを押す。これにより、ユーザーは、領域ＭＵ−１に表示されている指示内容を実行し終えたことをマイコン１２４へ通知する。
【０１５０】
図２４に戻り、マイコン１２４は、操作キー１２８のＥＮＴＥＲキー（指示画面ＭＵにおける領域ＭＵ−２「ＥＮＴＥＲ：ＮＥＸＴ」）が押されると（ステップＳＤ−１９：Ｙｅｓ）、指示画面ＭＵにおける指示内容に基づいて、セレクタ１０６Ｄを操作する（ステップＳＤ−２０）。具体的には、マイコン１２４は、指示画面ＭＵにおける指示内容「ＩＮＰＵＴ割当てをＣＯＡＸ１に設定して下さい。」に基づいて、セレクタ１０６Ｄを、ＣＯＡＸ１と関連付けられている入力端子１０２Ｄ１に合わせる。
【０１５１】
つぎに、マイコン１２４は、図２８に示す指示画面ＭＲを表示部１２６に表示する（ステップＳＤ−２１）。
【０１５２】
ユーザーは、表示部１２６に指示画面ＭＲが表示されたことを確認すると領域ＭＲ−１に表示されている指示内容を実行し、操作キー１２８のＥＮＴＥＲキーを押す。これにより、ユーザーは、領域ＭＲ−１に表示されている指示内容を実行し終えたことをマイコン１２４へ通知する。
【０１５３】
図２４に戻り、マイコン１２４は、操作キー１２８のＥＮＴＥＲキー（指示画面ＭＲにおける領域ＭＲ−２「ＥＮＴＥＲ：ＮＥＸＴ」）が押されると（ステップＳＤ−２２：Ｙｅｓ）、図２９または図３０に示す指示画面ＭＳを表示部１２６に表示する（ステップＳＤ−２３）。
【０１５４】
つぎに、ユーザーは、表示部１２６に指示画面ＭＳが表示されたことを確認すると領域ＭＳ−１に表示されている指示内容を実行し、必要に応じて操作キー１２８の矢印キーで領域ＭＳ−２の文字を変更し、操作キー１２８のＥＮＴＥＲキーを押す。これにより、ユーザーは、領域ＭＳ−１に表示されている指示内容に対し、領域ＭＳ−２に表示されている回答を選択したことをマイコン１２４へ通知する。
【０１５５】
つぎに、マイコン１２４は、操作キー１２８のＥＮＴＥＲキー（指示画面ＭＳにおける領域ＭＳ−３「ＥＮＴＥＲ：ＮＥＸＴ」）が押され（ステップＳＤ−２４：Ｙｅｓ）、さらに指示画面ＭＳの領域ＭＳ−２において「Ｙｅｓ」が選択されなかった場合（ステップＳＤ−２５：Ｎｏ）、上述した図１４のステップＳＢ−１４から図１５のステップＳＢ−２９までを実行する（ステップＳＤ−２６）。
【０１５６】
つぎに、マイコン１２４は、操作キー１２８のＥＮＴＥＲキー（指示画面ＭＳにおける領域ＭＳ−３「ＥＮＴＥＲ：ＮＥＸＴ」）が押され（ステップＳＤ−２４：Ｙｅｓ）、さらに指示画面ＭＳの領域ＭＳ−２において「Ｙｅｓ」が選択された場合（ステップＳＤ−２５：Ｙｅｓ）、すべての処理を終了する。
【０１５７】
〔３．ＡＶアンプ１００Ｂのまとめ〕
以上、詳細に説明したように、ＡＶアンプ１００Ｂによれば、第４検出部１２４ｄでの検出結果に加え、さらにメモリで管理しているスピーカシステム設定その他に基づいて、スピーカＡからＦＲＯＮＴチャンネル（アナログ音源）の音が出ない原因のヒントを多岐にわたって探り、探ったヒントを表示部１２６に表示する。これにより、ユーザーは、ＦＲＯＮＴチャンネルの音が出ない原因のヒントにつき適確なものを得ることができる。
【０１５８】
また、ＡＶアンプ１００Ｂによれば、第４検出部１２４ｄでの検出結果に加え、さらにメモリで管理しているスピーカシステム設定その他に基づいて、スピーカＡからＣＥＮＴＥＲチャンネル（デジタル音源）の音が出ない原因のヒントを多岐にわたって探り、探ったヒントを表示部１２６に表示する。これにより、ユーザーは、ＣＥＮＴＥＲチャンネルの音が出ない原因のヒントにつき適確なものを得ることができる。
【０１５９】
さらに、ＡＶアンプ１００Ｂによれば、スピーカＡからＦＲＯＮＴチャンネル（アナログ音源）の音が出ない原因のヒントを探る前に、ユーザーを誘導しながらユーザーにスピーカシステム設定を登録（設定）させる。これにより、最新のスピーカシステム設定で、ＦＲＯＮＴチャンネルの音が出ない原因のヒントを探ることができる。また、スピーカシステムの接続確認をシンプルに実現することができる。
【０１６０】
なお、本実施例２では、ＦＲＯＮＴチャンネルの音が出ない原因のヒントやＣＥＮＴＥＲチャンネルの音が出ない原因のヒントを探る場合を一例として説明したが、例えばＳＵＲＲＯＵＮＤチャンネルの音が出ない原因のヒントも同様に探ることもできる。また、本実施例２では、音が出ない原因のヒントを探る場合を一例として説明したが、例えば映像が出ない原因のヒントを探ることも同様に実施することができる。
【図面の簡単な説明】
【０１６１】
【図１】ＡＶアンプ１００Ａの構成の一例を示すブロック図である。
【図２】ＡＶアンプ１００Ａの動作の一例を示すフローチャートである。
【図３】ＡＶアンプ１００Ａの動作の一例を示すフローチャートである。
【図４】案内画面ＭＡの一例を示す図である。
【図５】案内画面ＭＢの一例を示す図である。
【図６】設定画面ＭＣの一例を示す図である。
【図７】確認画面ＭＤの一例を示す図である。
【図８】案内画面ＭＥの一例を示す図である。
【図９】案内画面ＭＦの一例を示す図である。
【図１０】案内画面ＭＧの一例を示す図である。
【図１１】案内画面ＭＨの一例を示す図である。
【図１２】案内画面ＭＩの一例を示す図である。
【図１３】ＡＶアンプ１００Ｂの構成の一例を示すブロック図である。
【図１４】ＡＶアンプ１００Ｂの動作（その１）の一例を示すフローチャートである。
【図１５】ＡＶアンプ１００Ｂの動作（その１）の一例を示すフローチャートである。
【図１６】ＡＶアンプ１００Ｂの動作（その２）の一例を示すフローチャートである。
【図１７】ＡＶアンプ１００Ｂの動作（その２）の一例を示すフローチャートである。
【図１８】案内画面ＭＪの一例を示す図である。
【図１９】案内画面ＭＫの一例を示す図である。
【図２０】案内画面ＭＬの一例を示す図である。
【図２１】案内画面ＭＭの一例を示す図である。
【図２２】案内画面ＭＮの一例を示す図である。
【図２３】ＡＶアンプ１００Ｂの動作（その３）の一例を示すフローチャートである。
【図２４】ＡＶアンプ１００Ｂの動作（その３）の一例を示すフローチャートである。
【図２５】指示画面ＭＯの一例を示す図である。
【図２６】指示画面ＭＰの一例を示す図である。
【図２７】指示画面ＭＱの一例を示す図である。
【図２８】指示画面ＭＲの一例を示す図である。
【図２９】指示画面ＭＳの一例を示す図である。
【図３０】指示画面ＭＳの一例を示す図である。
【図３１】指示画面ＭＴの一例を示す図である。
【図３２】指示画面ＭＵの一例を示す図である。
【符号の説明】
【０１６２】
１００Ａ，１００Ｂ  ＡＶアンプ
１０２  入力端子群
１０４  出力端子群
１０６Ａ  セレクタ（アナログ用）
１０６Ｄ  セレクタ（デジタル用）
１０８  Ａ／Ｄ変換器
１１０  ＤＩＲ
１１２  ＤＳＰ
１１４  Ｄ／Ａ変換器
１１６  ＶＯＬ
１１８  ＡＭＰ
１２０Ａ  リレー（スピーカＡ用）
１２０Ｂ  リレー（スピーカＢ用）
１２２  ＨＰ回路
１２４  マイコン
１２４ａ  第１検出部
１２４ｂ  第２検出部
１２４ｃ  第３検出部
１２４ｄ  第４検出部
１２４ｅ  第５検出部
１２６  表示部
１２８  操作キー
【図１】
2008244819.tif 000003
【図２】
2008244819.tif 000004
【図３】
2008244819.tif 000005
【図４】
2008244819.tif 000006
【図５】
2008244819.tif 000007
【図６】
2008244819.tif 000008
【図７】
2008244819.tif 000009
【図８】
2008244819.tif 000010
【図９】
2008244819.tif 000011
【図１０】
2008244819.tif 000012
【図１１】
2008244819.tif 000013
【図１２】
2008244819.tif 000014
【図１３】
2008244819.tif 000015
【図１４】
2008244819.tif 000016
【図１５】
2008244819.tif 000017
【図１６】
2008244819.tif 000018
【図１７】
2008244819.tif 000019
【図１８】
2008244819.tif 000020
【図１９】
2008244819.tif 000021
【図２０】
2008244819.tif 000022
【図２１】
2008244819.tif 000023
【図２２】
2008244819.tif 000024
【図２３】
2008244819.tif 000025
【図２４】
2008244819.tif 000026
【図２５】
2008244819.tif 000027
【図２６】
2008244819.tif 000028
【図２７】
2008244819.tif 000029
【図２８】
2008244819.tif 000030
【図２９】
2008244819.tif 000031
【図３０】
2008244819.tif 000032
【図３１】
2008244819.tif 000033
【図３２】
2008244819.tif 000034